(57)【要約】【課題】データ伝送を行う上で必要な機器選択を迅速かつ容易に行うことのできる無線通信を実行可能な電子機器および同機器に適用されるプログラムを提供することを課題とする。【解決手段】無線通信制御ユーティリティ２０１は、局発見要求に対する応答で取得した機器アドレスを、機器名称取得要求の発行前に、接続可能なデバイスのアドレス一覧としてＬＣＤ１３に表示しユーザに選択可能に提示する。これにより、デバイスアドレスと機器との対応を掌握しているユーザを対象に、待ち時間が介在しない迅速かつ容易な機器選択が行え、かつ無駄な操作並びに処理を省いて迅速な機器接続が可能となる。【選択図】    図２
2005109745.tif 000002
【特許請求の範囲】
【請求項１】
表示装置と、
無線通信によるデータ伝送が可能な周辺の機器に局発見要求を行う通信手段と、
前記表示装置に前記局発見要求に応答した機器各々のアドレスを機器単位で接続相手として選択可能に一覧表示する処理手段と、
前記一覧表示から選択された機器のアドレスに従い当該アドレスをもつ機器に対して接続要求を行う通信手段と
を具備したことを特徴とする無線通信を実行可能な電子機器。
【請求項２】
前記処理手段が前記局発見要求に応答した機器各々のアドレスを機器単位で接続相手として選択可能に一覧表示した後、前記応答機器各々に対して機器名称の取得要求を行う通信手段と、
前記機器名称の取得要求で取得した機器名称を前記一覧表示画面上に前記アドレスに対応付けて選択可能に一覧表示する処理手段をさらに具備したことを特徴とする請求項１記載の無線通信を実行可能な電子機器。
【請求項３】
前記機器名称の取得要求で取得した機器名称を前記機器のアドレスに対応付けて管理する取得名称管理手段と、
前記局発見要求に応答した機器各々のアドレスを前記取得名称管理手段が管理する機器名称と対応付けて選択可能に一覧表示する表示処理手段と
をさらに具備したことを特徴とする請求項２記載の無線通信を実行可能な電子機器。
【請求項４】
前記局発見要求に対する応答が可能な通信機能をもつ機器各々についてユーザが付与した任意の名称を前記アドレスに対応付けて登録できる登録名称管理手段をさらに具備したことを特徴とする請求項３記載の無線通信を実行可能な電子機器。
【請求項５】
前記局発見要求に応答した機器各々のアドレスを機器単位で接続相手として選択可能に一覧表示する際に、前記登録名称管理手段より前記一覧表示するアドレスに対応して登録された名称を取得し、当該取得した名称を前記局発見要求に応答した機器各々のアドレスに対応付けて選択可能に一覧表示する処理手段をさらに具備したことを特徴とする請求項４記載の無線通信を実行可能な電子機器。
【請求項６】
前記局発見要求に応答した機器各々のアドレスと、前記機器名称の取得要求で取得した機器名称と、前記登録名称管理手段より取得した名称と、前記各名称の取得状態とをそれぞれ行を単位で対応付けて選択可能に一覧表示する処理手段をさらに具備したことを特徴とする請求項５記載の無線通信を実行可能な電子機器。
【請求項７】
前記一覧表示から選択された名称に従い、当該名称に対応するアドレスをもつ機器に対して接続要求を行う通信手段をさらに具備したことを特徴とする請求項６記載の無線通信を実行可能な電子機器。
【請求項８】
コンピュータに、
無線通信によるデータ伝送が可能な周辺の機器に局発見要求を行い、前記局発見要求に応答した機器各々のアドレスを取得する通信処理機能と、
前記取得した機器各々のアドレスを機器単位で接続相手として選択可能に表示装置に一覧表示する表示処理機能と
を実現させるためのプログラム。
【請求項９】
前記通信処理機能は、前記機器アドレスの一覧表示から機器アドレスが選択されたとき、当該選択されたアドレスをもつ機器に接続要求を行う機能を有する請求項８記載のプログラム。
【請求項１０】
前記通信処理機能は、前記局発見要求に応答した機器各々のアドレスを機器単位で接続相手として選択可能に一覧表示した後、前記応答機器各々に対して機器名称の取得要求を行う機能を有し、
前記表示処理機能は、前記機器名称の取得要求で取得した機器名称を前記アドレスに対応付けて選択可能に一覧表示する機能を有する請求項９記載のプログラム。
【請求項１１】
前記表示処理機能は、前記機器名称の取得要求で取得した機器名称を前記機器のアドレスに対応付けて管理し、前記局発見要求に応答した機器各々のアドレスを前記管理している機器名称と対応付けて選択可能に一覧表示する機能を有する請求項１０記載のプログラム。
【請求項１２】
前記表示処理機能は、前記局発見要求に対する応答が可能な通信機能をもつ機器についてユーザが付与した任意の登録名称を前記機器のアドレスに対応付けて管理し、前記局発見要求に応答した機器各々のアドレスを前記管理している機器名称および登録名称と対応付けて選択可能に一覧表示する機能を有する請求項１１記載のプログラム。
【発明の詳細な説明】
【技術分野】
【０００１】
本発明は、無線通信を実行可能な電子機器および同機器に適用されるプログラムに係り、特に無線通信可能な新たな機器を発見するための局発見機能を持つ電子機器およびその機器に適用されるプログラムに関する。
【背景技術】
【０００２】
近年、電子機器間を無線で接続するための新たな無線通信システムが開発されている。この種の無線通信システムとしては、コンピュータに限らず様々な電子機器同士の接続をターゲットとして策定された近距離無線通信方式の規格であるＢｌｕｅｔｏｏｔｈＴＭが知られている。
【０００３】
ＢｌｕｅｔｏｏｔｈＴＭに於いては、局発見機能が定義されている。この局発見機能は、無線通信可能な新たな装置を発見するための機能である。この局発見機能を利用することにより、ある電子機器の無線通信可能エリア内に存在する他の電子機器を発見することができる。
【０００４】
局発見機能は、ある電子機器が局発見要求（問い合わせ）を無線信号によって送信し、その局発見要求を受けた他の電子機器がその局発見要求に応答するという仕組みよって実現されている。この際の局発見機能は、局発見要求（Inquiry）を行って当該要求に応答した機器のアドレスを取得する処理と、機器名称の取得要求（Name discovery）を行って上記応答した機器の名称（Device Names）を取得する処理とで実現される。
【０００５】
上記したＢｌｕｅｔｏｏｔｈＴＭのような無線伝送方式による無線ネットワークに於いて、通信を開始するには、上記した局発見機能によって通信可能な機器を探索し、探索した機器を対象に通信相手となる機器を選択するという操作が必要である。この際、従来の機器探索では、探索により見つけた機器各々の機器名称を取得し、これをユーザに接続可能機器として提示（選択可能に表示）している（例えば、特許文献１参照）。このため、従来では機器探索を開始してからユーザに接続可能機器として提示するまで多くの時間を要し、使い勝手が悪いという操作上の問題があった。
【特許文献１】特開２００２−２８１０４１号公報
【発明の開示】
【発明が解決しようとする課題】
【０００６】
上述したように従来では、通信の開始に先立って行われる機器探索に於いて、探索した機器を接続可能機器として選択可能に表示するまでに、多くの時間を要し、使い勝手が悪いという操作上の問題があった。
【０００７】
本発明は、データ伝送を行う上で必要な機器選択を迅速かつ容易に行うことのできる無線通信を実行可能な電子機器および同機器に適用されるプログラムを提供することを目的とする。
【課題を解決するための手段】
【０００８】
本発明は、局発見要求に対する応答で取得した機器アドレスを、機器名称取得要求の発行前に、接続可能なデバイスのアドレス一覧として選択可能に表示しユーザに選択可能に提示することを特徴とする。これにより、デバイスアドレスと機器との対応を掌握しているユーザを対象に、待ち時間が介在しない迅速かつ容易な機器選択が行え、かつ無駄な操作並びに処理を省いて迅速な機器接続が可能となる。
【発明の効果】
【０００９】
データ伝送を行う上で必要な機器選択を迅速かつ容易に行うことができ、これにより使い勝手を向上できる。
【発明を実施するための最良の形態】
【００１０】
以下、図面を参照して本発明の実施形態を説明する。  
図１には本発明の一実施形態に係る装置の構成の一例が示されている。この装置は無線通信機能を有する情報処理装置である。以下では、本装置をノートブックタイプのポータブルパーソナルコンピュータとして実現した場合を想定することとする。
【００１１】
図１は本コンピュータ１のディスプレイユニットを開いた状態における正面図である。本コンピュータ１は、コンピュータ本体１１と、ディスプレイユニット１２とから構成されている。ディスプレイユニット１２は、コンピュータ本体１１に対して解放位置と閉塞位置との間を回動自在に取り付けられている。ディスプレイユニット１２には表示パネルを構成するＬＣＤ（Liquid Crystal Display）１３が組み込まれており、そのＬＣＤ１３はディスプレイユニット１２のほぼ中央に位置されている。
【００１２】
ＬＣＤ１３の表示画面上には、局発見機能で見つけた機器の一覧（リモートデバイス一覧と称す）１０２が表示される。このリモートデバイス一覧１０２は、現在のコンピュータ１の利用場所に於いて無線通信可能な機器をユーザに選択可能に提示するＧＵＩ（Graphical User Interface）であり、ユーザに通信（接続）相手を選択させるために用いられる。この図１の示す実施形態に於いては、機器探索によって見つけた機器各々について、そのデバイス名と、デバイスアドレスと、接続状態とが各機器毎に対応付けて一覧表示された例を示している。この表示一覧上で接続したい機器を選択することができる。この実施形態では、局発見要求（Inquiry）で応答した機器のアドレス（デバイスアドレス）を即時に（機器名称の取得要求（Name discovery）を行う以前の段階で）、リモートデバイス一覧１０２として表示する（図４の一覧画面４０１参照）。そしてこのデバイスアドレスのみのリモートデバイス一覧１０２上で、ポインティングデバイス１４を操作して、接続したい機器をデバイスアドレスにより選択可能にしている。これにより、接続対象機器のアドレスを認識しているユーザは、機器名称の取得要求（Name discovery）を行う以前の早い段階で機器選択が可能である。この際は、デバイスアドレスによる機器選択が行われた後、機器名称の取得要求と当該要求に伴う名称取得処理を実行せずに、選択されたデバイスアドレスをもつ機器に対して接続要求を行うことも可能である。
【００１３】
コンピュータ本体１１は薄い箱形の筐体を有しており、その上面には上述したポインティングデバイス１４の他に、キーボード１５が配置されている。さらに、コンピュータ本体１１には無線通信デバイス１０１が内蔵されている。
【００１４】
この無線通信デバイス１０１は無線通信を実行するデバイスであり、例えばＢｌｕｅｔｏｏｔｈＴＭなどの近距離無線通信の規格で規定された無線通信を実行するように設計されている。無線通信デバイス１０１の無線通信動作は、コンピュータ１内で実行されるプログラムである無線通信制御ユーティリティ（図２の符号２０１参照）によって制御される。
【００１５】
この無線通信制御ユーティリティは、局発見機能（局発見要求並びにその要求に伴う処理機能、および機器名称の取得要求並びにその要求に伴う処理機能）、ＬＣＤ１３の表示画面上にリモートデバイス一覧１０２を表示する機能、リモートデバイス一覧１０２上の選択操作に伴う機器の選択機能、および選択された機器に対する接続要求並びにその要求に伴う処理機能等を有する。
【００１６】
図２には、本コンピュータ１のシステム構成が示されている。本コンピュータ１には、図示のように、ＣＰＵ２１、ノースブリッジ２２、主メモリ２３、表示コントローラ２４、サウスブリッジ２５、ハードディスクドライブ（ＨＤＤ）２６、および無線通信デバイス１０１などが内蔵されている。
【００１７】
ＣＰＵ２０１は本コンピュータ１の動作を制御するために設けられたプロセッサであり、ハードディスクドライブ（ＨＤＤ）２６から主メモリ２３にロードされたオペレーティングシステム（ＯＳ）および各種アプリケーションプログラムを実行する。無線通信制御ユーティリティ２０１もハードディスクドライブ（ＨＤＤ）２６から主メモリ２３にロードされ、ＣＰＵ２０１によって実行される。
【００１８】
ハードディスクドライブ（ＨＤＤ）２６には、この実施形態の処理に係る情報として、上述した無線通信制御ユーティリティ２０１によって管理されるリモートデバイス一覧１０２のテンプレート情報２０２、機器名称の取得要求（Name discovery）で取得した機器名称をデバイスアドレスと対応付けて記憶した取得名称リスト、ユーザが登録した任意の名称をデバイスアドレスと対応付けて記憶した登録名称リスト等が格納されている。テンプレート情報２０２には、デバイスアドレスと機器名称とを予め対応させて設定したテンプレートも含まれる。
【００１９】
ノースブリッジ２２はＣＰＵ２１のローカルバスとＰＣＩバスとの間を双方向で接続するブリッジデバイスである。表示コントローラ２４は本コンピュータのディスプレイモニタとして使用されるＬＣＤ１３を制御する。サウスブリッジ２５はＰＣＩバスとＩＳＡバスとの間を双方向で接続するブリッジデバイスである。ＩＳＡバスには、上述のキーボード（ＫＢ）などが接続されている。
【００２０】
サウスブリッジ２５には、ＵＳＢ（Universal Serial Bus）コントローラも内蔵されている。無線通信デバイス１０１はＵＳＢ（Universal Serial Bus）コントローラに接続されている。無線通信デバイス１０１はＵＳＢコントローラを介してＣＰＵ２１から入力されるコマンドに応じて、無線信号の送受信をアンテナ（ＡＮＴ）を介して実行する。
【００２１】
無線通信デバイス１０１は、ＲＦ部とベースバンド部とを含む。ＲＦ部は、中間周波数からＲＦ周波数へのアップコンバート、およびＲＦ周波数から中間周波数へのダウンコンバートなどを行う。ベースバンド部は所定の無線通信プロトコルに従って、送信データの変調、および受信データの復調を行う。
【００２２】
次に、図３を参照して、無線通信デバイス１０１の無線通信動作を制御するためのソフトウェア構成について説明する。
【００２３】
無線通信に関するソフトウェアは、無線通信制御ユーティリティ２０１と、プロトコルスタック・ドライバ２０４と、アプリケーションプログラム２０３とに大別される。
【００２４】
プロトコルスタック・ドライバ２０４は、ＢｌｕｅｔｏｏｔｈＴＭのプロトコルスタックに対応するプログラムである。無線通信制御ユーティリティ２０１は、プロトコルスタック・ドライバ２０４を通じて無線通信デバイス１０１の動作モードの設定を制御する。アプリケーションプログラム２０３は、無線通信デバイス１０１の無線通信機能を利用して他の装置との間でデータ通信等を行うためのプログラムであり、プログラムプロトコルスタック・ドライバ２０４を通じて無線通信デバイス１０１との間でデータの受け渡しを行う。
【００２５】
図４には上記リモートデバイス一覧１０２の状態遷移例を示している。この実施形態に於いては、局発見要求（Inquiry）に応答した機器のアドレスを取得した段階で、その取得したデバイスアドレスの一覧画面４０１を機器単位で選択可能に表示している。この図４に示す各一覧画面（４０１〜４０８）のいずれに於いても機器の選択が可能である。
【００２６】
次に、図５乃至図１０に示すフローチャートを参照して本発明の実施形態に於ける処理動作を説明する。この各フローチャートによる処理は、ユーザが機器選択を必要とする際の所定の操作を行うことで、ＣＰＵ２１が無線通信制御ユーティリティ２０１を実行することにより実現される。
【００２７】
ユーザが機器選択を必要とする際の所定の操作を行うことにより図５乃至図１０に示す処理が開始される。
【００２８】
ここでは、機器選択に際して、機器探索が行われる（図５ステップＳ１０１）。この機器探索で取得した応答機器の情報を記憶し（図５ステップＳ１０２）、この記憶した情報をもとにリモートデバイス一覧１０２を生成して、当該リモートデバイス一覧１０２をＬＣＤ１３の表示画面上に表示する（図５ステップＳ１０３）。
【００２９】
この機器探索の処理をさらに説明すると、本コンピュータ１の周辺に存在する、本コンピュータ１と無線通信が可能な機器に対して局発見要求（Inquiry）が行われる（図６ステップＡ１）。この局発見要求で応答した機器各々のデバイスアドレスを取得し保持する（図６ステップＡ２）。そして上記テンプレート２０２を用いて上記取得したデバイスアドレスのみのリモートデバイス一覧１０２を生成し、当該リモートデバイス一覧１０２を上記ＬＣＤ１３の表示画面上に表示する（図６ステップＡ３）。この際の局発見要求の処理に伴うＬＣＤ１３に表示されたリモートデバイス一覧１０２の一例を図４に一覧画面４０１として示している。
【００３０】
このリモートデバイス一覧１０２上で、ユーザがポインティングデバイス１４を操作して、例えば通信を行いたい機器のデバイスアドレスを選択すると（図５ステップＳ１０４  ＹＥＳ）、機器探索の処理を終了し、次処理として、例えば選択されたデバイスアドレスをもつ機器に対しての接続要求処理が行われる。この接続要求とその要求に伴う無線通信制御ユーティリティ２０１の処理については、ＢｌｕｅｔｏｏｔｈＴＭの規定に従い実行されるもので、ここではその処理について言及しない。
【００３１】
このように、局発見要求（Inquiry）により取得したデバイスアドレスを用いて機器選択を可能にしたことにより、デバイスアドレスと機器との対応を掌握しているユーザは、機器名称の取得要求（Name discovery）とそれに伴う名称の取得並びに表示に費やす時間に相当する無駄な操作待ち時間が介在することなく、迅速かつ円滑に通信相手機器を選択できる。
【００３２】
上記取得したデバイスアドレスのリモートデバイス一覧１０２がＬＣＤ１３の表示画面上に表示されている状態で、機器選択操作に代わり、機器選択を解除する、例えば「戻る」「キャンセル」等の操作入力が行われた場合（図５ステップＳ１０４  ＮＯ，Ｓ１０５  ＹＥＳ）は、今回の機器選択処理を終了する。
【００３３】
また取得したデバイスアドレスすべてについてのリモートデバイス一覧１０２がＬＣＤ１３の表示画面上に表示されている状態（図５ステップＳ１０３）で、一定時間内に機器選択操作が行われず（図５ステップＳ１０４  ＮＯ）、かつ上記機器選択を解除する操作も行われない場合（図５ステップＳ１０５  ＮＯ）は、機器名称が不明なすべての機器を対象に、機器名称の取得要求（Name discovery）とそれに伴う名称の取得処理を行い（図７ステップＳ１０６〜Ｓ１０８）を行い、この名称取得処理でデバイス名（Device Name）が取得できた場合（図７ステップＳ１０９  ＹＥＳ）は、そのデバイス名を上記リモートデバイス一覧１０２に表示し（図７ステップＳ１１０）、デバイス名（Device Name）が取得できない場合（図７ステップＳ１０９  ＮＯ）は、その状態を上記リモートデバイス一覧１０２に表示する（図７ステップＳ１１１）。この際のリモートデバイス一覧１０２の表示例を図４に一覧画面４０２〜４０５として示している。
【００３４】
このような機器名称を含んだリモートデバイス一覧１０２を機器単位で選択可能に表示することで、ユーザは選択対象機器を判別し易くなる。また、この際、ユーザは特別な操作を必要としない。ユーザが機器を判別できた時点で、機器選択の操作を行った場合、それ以降の機器名称の取得処理を行わずに次処理（例えば接続要求処理）に進むことができる。
【００３５】
図８乃至図１０に、既に取得済みの機器名称を利用して機器選択をする場合の処理例を示している。この例では、前回機器名称取得処理を行ってから現在までの間に、相手機器で機器名称の変更が行われてる可能性を考慮し全ての機器名称を取得する処理になっている。
【００３６】
ここでは機器探索の処理にあたって、新規に機器探索を行うか、若しくはユーザの指示により既に取得済みの機器名称を利用して機器選択を行うかを判断し（図８ステップＳ２０１）、新規に機器探索を行う場合（図８ステップＳ２０１  ＹＥＳ）は局発見要求並びにそれに伴う機器探索処理（図８ステップＳ２０３，Ｓ２０４）を実行する。また、既に取得済みの機器名称を利用して機器選択を行う場合（図８ステップＳ２０１  ＮＯ）は、機器探索の履歴があるか否かを判断し（図８ステップＳ２０２）、既に取得済みの機器名称がデバイスアドレスとともにリストに登録されている場合（図８ステップＳ２０２  ＹＥＳ）は、局発見要求並びにそれに伴う機器探索処理（図８ステップＳ２０３，Ｓ２０４）を省略して、その登録されたリストに基づくリモートデバイス一覧１０２をＬＣＤ１３の表示画面上に表示する（図８ステップＳ２０５）。
【００３７】
このリモートデバイス一覧１０２上で、ユーザがポインティングデバイス１４を操作して、例えば通信を行いたい機器のデバイスアドレスを選択すると（図８ステップＳ２０６  ＹＥＳ）、機器探索の処理を終了し、次処理として、例えば選択されたデバイスアドレスをもつ機器に対しての接続要求処理が行われる。
【００３８】
また上記リモートデバイス一覧１０２がＬＣＤ１３の表示画面上に表示されている状態で、機器選択操作に代わり、機器選択を解除する、例えば「戻る」「キャンセル」等の操作入力が行われた場合（図８ステップＳ２０６  ＮＯ，Ｓ２０７  ＹＥＳ）は、今回の機器選択処理を終了する。
【００３９】
上記リモートデバイス一覧１０２上で選択操作、選択中止の操作が行われないとき（図８ステップＳ２０６  ＮＯ、Ｓ２０７  ＮＯ）、機器名称を取得していない機器、名称不明機器の存在有無を調べ（図９ステップＳ２０８，Ｓ２０９）、名称不明機器が存在するとき（図９ステップＳ２０９  ＹＥＳ）は、リモートデバイス一覧１０２上の該当する機器のデバイス名欄に名称取得処理中であることを示す「調査中」を表示して（図９ステップＳ２１０）、当該機器を対象に名称の取得処理を実行する（図９ステップＳ２１１）。ここで名称を取得できたとき（図９ステップＳ２１２  ＹＥＳ）は、取得した名称が現在表示中の名称と一致するか否かをチェックし（図９ステップＳ２１３）、一致しないとき（図９ステップＳ２１３  ＹＥＳ）、新たに取得した名称をリモートデバイス一覧１０２の該当欄に表示する（図９ステップＳ２１４）。また取得した名称が現在表示中の名称と一致するとき（図９ステップＳ２１３  ＮＯ）は、表示中の機器名称をそのまま継続して表示する。また、名称が取得できないとき（図９ステップＳ２１２  ＮＯ）は、その状態を表す例えば「名称不明」をリモートデバイス一覧１０２の該当欄に表示する（図９ステップＳ２１５）。この際のリモートデバイス一覧１０２の表示例を図４に一覧画面４０６〜４０８として示している。
【００４０】
また、既に取得済みの機器名称があっても今回の機器探索処理（図８ステップＳ２０３）で名称を取得していない機器が存在するとき（図９ステップＳ２０８  ＹＥＳ、Ｓ２０９  ＮＯ）は、リモートデバイス一覧１０２の該当欄に名称取得処理中であることを示す「調査中」を表示して（図１０ステップＳ２１６）、該当機器に対して名称の取得処理を行う（図１０ステップＳ２１７）。
【００４１】
ここで、新たな名称が取得できた際（図１０ステップＳ２１８  ＹＥＳ）は、取得した名称が現在表示中の名称と一致するか否かをチェックし（図１０ステップＳ２１９）、一致しないとき（図１０ステップＳ２１９  ＹＥＳ）、新たに取得した名称をリモートデバイス一覧１０２の該当欄に表示する（図１０ステップＳ２２０）。また、名称が取得できないとき（図１０ステップＳ２１８  ＮＯ）は、その状態を表す例えば「名称不明」をリモートデバイス一覧１０２の該当欄に表示する（図１０ステップＳ２２１）。このような機器名称の表示処理が機器名称を取得していない機器が存在しなくなるまで（図９ステップＳ２０８  ＮＯ）行われる。上記した図９に示す処理により、過去に機器名称を取得できていない機器の名称取得を優先し、名称の不明な機器を少しでも早く無くすことで、ユーザが少しでも早く機器選択ができるよう工夫している。上記した処理が探索したすべての機器に対して実行され、その処理過程のいずれであってもリモートデバイス一覧１０２上での機器選択を可能にしている。
【００４２】
また、上記デバイスアドレス、デバイス名の各の表示処理に於いては、ユーザが任意に設定し登録した任意の名称（登録名称）を上記取得した機器名称と併せてリモートデバイス一覧１０２に表示することも可能である。この際は、ハードディスクドライブ（ＨＤＤ）２６に、ユーザが登録した任意の名称をデバイスアドレスと対応付けて記録した登録名称リストを用意しておき、上記したデバイスアドレス、デバイス名の表示処理に於いて、その都度登録名称リストを参照し、デバイスアドレスをキーとして該当する登録名称をリモートデバイス一覧１０２上でデバイスアドレス、取得した機器名称等と併せて表示することも可能である。このようなユーザが登録した名称をデバイスアドレス、取得した機器名称等と併せて表示することにより、例えば同一機器種に対してのより明確な機器選択が可能になる。
【図面の簡単な説明】
【００４３】
【図１】本発明の実施形態に係るコンピュータの外観を示す図。
【図２】本発明の実施形態に係るコンピュータの構成を示すブロック図。
【図３】本発明の実施形態に係るコンピュータの無線通信デバイスの制御を行うためのソフトウェアの構成を示すブロック図。
【図４】本発明の実施形態に係るリモートデバイス一覧の状態遷移例を示す図。
【図５】本発明の実施形態に係る処理手順を示すフローチャート。
【図６】本発明の実施形態に係る処理手順を示すフローチャート。
【図７】本発明の実施形態に係る処理手順を示すフローチャート。
【図８】本発明の実施形態に係る処理手順を示すフローチャート。
【図９】本発明の実施形態に係る処理手順を示すフローチャート。
【図１０】本発明の実施形態に係る処理手順を示すフローチャート。
【符号の説明】
【００４４】
１…コンピュータ、１１…コンピュータ本体、１２…ディスプレイユニット、１３…ＬＣＤ、２３…主メモリ、２６…ハードディスクドライブ（ＨＤＤ）、１０１…無線通信デバイス、１０２…リモートデバイス一覧、２０１…無線通信制御ユーティリティ、２０４…プロトコルスタック・ドライバ、４０１，４０２，…４０８…一覧画面。
【図１】
2005109745.tif 000003
【図２】
2005109745.tif 000004
【図３】
2005109745.tif 000005
【図４】
2005109745.tif 000006
【図５】
2005109745.tif 000007
【図６】
2005109745.tif 000008
【図７】
2005109745.tif 000009
【図８】
2005109745.tif 000010
【図９】
2005109745.tif 000011
【図１０】
2005109745.tif 000012